(57)【要約】【課題】アタッチメントの使用／不使用にかかわらず固視を適正に行うことが可能な眼科撮影装置を提供する。【解決手段】実施形態の眼科撮影装置は、光学系と、画像形成部と、光学ユニットとを有する。光学系は、第１の光源からの光を測定光と参照光とに分割し、被検眼からの測定光の戻り光と参照光との干渉光を検出する。画像形成部は、光学系による検出結果に基づいて画像を形成する。光学ユニットは、測定光の光路に配置可能とされ、レンズと、合成部材とを含む。レンズは、測定光の焦点位置を被検眼の第１の部位から第２の部位に変更する。合成部材は、第２の光源からの光路を測定光の光路に合成する。光学ユニットは、合成部材により測定光の光路に導かれた第２の光源からの光をレンズを介して被検眼の眼底に結像させる。【選択図】図４
2015160103.tif 000002
【特許請求の範囲】
【請求項１】
第１の光源からの光を測定光と参照光とに分割し、被検眼からの前記測定光の戻り光と前記参照光との干渉光を検出する光学系と、
前記光学系による検出結果に基づいて画像を形成する画像形成部と、
前記測定光の光路に配置可能とされ、前記測定光の焦点位置を被検眼の第１の部位から第２の部位に変更するためのレンズと、第２の光源からの光路を前記測定光の光路に合成する合成部材とを含み、前記合成部材により前記測定光の光路に導かれた前記第２の光源からの光を前記レンズを介して被検眼の眼底に結像させる光学ユニットと
を有する眼科撮影装置。
【請求項２】
前記第１の光源は赤外光を含む光を出力し、
前記第２の光源は可視光を含む光を出力し、
前記合成部材はダイクロイックミラーを含む
ことを特徴とする請求項１に記載の眼科撮影装置。
【請求項３】
前記第２の光源は、前記光学ユニットに設けられている
ことを特徴とする請求項１または請求項２に記載の眼科撮影装置。
【請求項４】
前記第２の光源は、前記光学ユニット外に設けられている
ことを特徴とする請求項１または請求項２に記載の眼科撮影装置。
【請求項５】
前記光学系は、
対物レンズと、
前記対物レンズの周囲に配置された１以上の光源と
を含み、
前記第２の光源は、前記１以上の光源のいずれかを含む
ことを特徴とする請求項４に記載の眼科撮影装置。
【請求項６】
１以上の外部固視灯を有し、
前記第２の光源は、前記１以上の外部固視灯のいずれかを含む
ことを特徴とする請求項４または請求項５に記載の眼科撮影装置。
【請求項７】
前記光学ユニットは、前記第２の光源の像を前記合成部材にリレーするリレー光学系を含む
ことを特徴とする請求項１〜請求項６のいずれか一項に記載の眼科撮影装置。
【請求項８】
前記第１の部位は眼底であり、
前記第２の部位は前眼部である
ことを特徴とする請求項１〜請求項７のいずれか一項に記載の眼科撮影装置。
【請求項９】
前記第１の部位は前眼部であり、
前記第２の部位は眼底である
ことを特徴とする請求項１〜請求項７のいずれか一項に記載の眼科撮影装置。
【請求項１０】
前記光学系は、被検眼に固視標を提示するための固視光学系を含み、
前記光学ユニットが前記測定光の光路に配置されているか否かを検知する検知部と、
前記光学ユニットが前記測定光の光路に配置されていることが前記検知部により検知されたときに、前記光学ユニットにより前記第２の光源からの光を被検眼の眼底に結像させるための制御を行う制御部と
を有する請求項１〜請求項９のいずれか一項に記載の眼科撮影装置。
【請求項１１】
前記制御部は、前記光学ユニットが前記測定光の光路に配置されていないことが前記検知部により検出されたときに、前記固視光学系により固視標を提示するための制御を行う
ことを特徴とする請求項１０に記載の眼科撮影装置。
【請求項１２】
第１の光源からの光を測定光と参照光とに分割し、被検眼からの前記測定光の戻り光と前記参照光との干渉光を検出する光学系と、前記光学系による検出結果に基づいて画像を形成する画像形成部とを有する眼科撮影装置に装着可能な光学ユニットであって、
前記測定光の光路に配置可能とされ、
前記測定光の焦点位置を被検眼の第１の部位から第２の部位に変更するためのレンズと、
第２の光源からの光路を前記測定光の光路に合成する合成部材と
を有し、
前記合成部材により前記測定光の光路に導かれた前記第２の光源からの光を前記レンズを介して被検眼の眼底に結像させる
ことを特徴とする光学ユニット。
【請求項１３】
前記第１の光源は赤外光を含む光を出力し、
前記第２の光源は可視光を含む光を出力し、
前記合成部材はダイクロイックミラーを含む
ことを特徴とする請求項１２に記載の光学ユニット。
【請求項１４】
前記第２の光源の像を前記合成部材にリレーするリレー光学系を有する
ことを特徴とする請求項１２または請求項１３に記載の光学ユニット。
【発明の詳細な説明】
【技術分野】
【０００１】
この発明は、光コヒーレンストモグラフィ（Ｏｐｔｉｃａｌ  Ｃｏｈｅｒｅｎｃｅ  Ｔｏｍｏｇｒａｐｈｙ：ＯＣＴ）を用いて被検眼の画像を取得するための眼科撮影装置およびこれに装着可能な光学ユニットに関する。
【背景技術】
【０００２】
近年、レーザ光源等からの光ビームを用いて被測定物体の表面形態や内部形態を表す画像を形成するＯＣＴが注目を集めている。ＯＣＴは、Ｘ線ＣＴのような人体に対する侵襲性を持たないことから、特に医療分野や生物学分野における応用の展開が期待されている。たとえば眼科分野においては、眼底や角膜等の画像を形成する装置が実用化されている。
【０００３】
特許文献１には、いわゆる「フーリエドメインＯＣＴ（Ｆｏｕｒｉｅｒ  Ｄｏｍａｉｎ  ＯＣＴ）」の手法を用いた装置が開示されている。すなわち、この装置は、被測定物体に対して低コヒーレンス光のビームを照射し、その反射光と参照光とを重ね合わせて干渉光を生成し、この干渉光のスペクトル強度分布を取得してフーリエ変換を施すことにより被測定物体の深度方向（ｚ方向）の形態を画像化するものである。さらに、この装置は、光ビーム（測定光）をｚ方向に直交する１方向（ｘ方向）に走査するガルバノミラーを備え、それにより被測定物体の所望の測定対象領域の画像を形成するようになっている。この装置により形成される画像は、光ビームの走査方向（ｘ方向）に沿った深度方向（ｚ方向）の２次元断層像となる。なお、この手法は、特にスペクトラルドメイン（Ｓｐｅｃｔｒａｌ  Ｄｏｍａｉｎ）とも呼ばれる。
【０００４】
特許文献２には、測定光を水平方向（ｘ方向）および垂直方向（ｙ方向）に走査（スキャン）することにより水平方向の２次元断層像を複数形成し、これら複数の断層像に基づいて測定範囲の３次元の断層情報を取得して画像化する技術が開示されている。この３次元画像化としては、たとえば、複数の断層像を垂直方向に並べて表示させる方法や（スタックデータなどと呼ばれる）、スタックデータに基づくボリュームデータ（ボクセルデータ）にレンダリング処理を施して３次元画像を形成する方法などがある。
【０００５】
特許文献３、４には、他のタイプのＯＣＴ装置が開示されている。特許文献３には、被測定物体に照射される光の波長を走査（波長掃引）し、各波長の光の反射光と参照光とを重ね合わせて得られる干渉光を検出してスペクトル強度分布を取得し、それに対してフーリエ変換を施すことにより被測定物体の形態を画像化するＯＣＴ装置が記載されている。このようなＯＣＴ装置は、スウェプトソース（Ｓｗｅｐｔ  Ｓｏｕｒｃｅ）タイプなどと呼ばれる。スウェプトソースタイプはフーリエドメインタイプの一種である。
【０００６】
また、特許文献４には、所定のビーム径を有する光を被測定物体に照射し、その反射光と参照光とを重ね合わせて得られる干渉光の成分を解析することにより、光の進行方向に直交する断面における被測定物体の画像を形成するＯＣＴ装置が記載されている。このようなＯＣＴ装置は、フルフィールド（ｆｕｌｌ−ｆｉｅｌｄ）タイプ、或いはインファス（ｅｎ−ｆａｃｅ）タイプなどと呼ばれる。
【０００７】
特許文献５には、ＯＣＴを眼科分野に適用した構成が開示されている。なお、ＯＣＴが応用される以前には、被検眼を観察するための装置として眼底カメラ、スリットランプ、ＳＬＯ（Ｓｃａｎｎｉｎｇ  Ｌａｓｅｒ  Ｏｐｈｔｈａｌｍｏｓｃｏｐｅ）などが使用されていた（たとえば特許文献６、特許文献７、特許文献８を参照）。眼底カメラは被検眼に照明光を照射し、その眼底反射光を受光することで眼底を撮影する装置である。スリットランプは、スリット光を用いて角膜の光切片を切り取ることにより角膜の断面の画像を取得する装置である。
【０００８】
ＯＣＴ装置は、高精細の画像を取得できる点、さらには断層像や３次元画像を取得できる点などにおいて、眼底カメラ等に対して優位性を持つ。
【０００９】
このように、ＯＣＴを用いた眼科観察装置は被検眼の様々な部位の観察に適用可能であり、また高精細な画像を取得できることから、様々な眼科疾患の診断への応用がなされてきている。ここで、被検眼の様々な部位を観察するために、眼底と前眼部の双方のＯＣＴ計測が可能な眼科撮影装置が用いられることがある。このような眼科撮影装置では、測定光の焦点位置を眼底から前眼部に変更するためのアタッチメント（アダプタ、光学ユニット）が選択的に適用される（特許文献９を参照）。このアタッチメントは、所定の屈折力を有するレンズを含む。
【先行技術文献】
【特許文献】
【００１０】
【特許文献１】特開平１１−３２５８４９号公報
【特許文献２】特開２００２−１３９４２１号公報
【特許文献３】特開２００７−２４６７７号公報
【特許文献４】特開２００６−１５３８３８号公報
【特許文献５】特開２００８−７３０９９公報
【特許文献６】特開平９−２７６２３２号公報
【特許文献７】特開２００８−２５９５４４号公報
【特許文献８】特開２００９−１１３８１号公報
【特許文献９】特開２０１２−２２３４３５号公報
【発明の概要】
【発明が解決しようとする課題】
【００１１】
ところで、ＯＣＴ計測においては、被検眼の動きを抑止するために固視が行われる。固視は、被検眼を所定方向に凝視させるための固視標を提示することにより行われる。多くの眼科撮影装置には、固視標を提示するための光学系（固視光学系）が内蔵されている。ＯＣＴ計測が可能な眼科撮影装置においては、測定光の光路と固視光学系の光路とが互いの一部を共有している。たとえば、測定光と固視用の光束とを共通の対物レンズを介して被検眼に導く構成が適用される。
【００１２】
このような眼科撮影装置に上記アタッチメントを適用すると、アタッチメント内のレンズによって固視用の光束の結像状態が変化する。そうすると、固視を適正に行うことができなくなる。すなわち、アタッチメントが装着されたことに伴い固視用の光束の結像位置が網膜からずれるため、被検者は固視標を明確に視認できなくなってしまう。
【００１３】
この発明は、上記の問題を解決するためになされたものであり、その目的は、アタッチメントの使用／不使用にかかわらず固視を適正に行うことを可能とする技術を提供することにある。
【課題を解決するための手段】
【００１４】
請求項１に記載の発明は、第１の光源からの光を測定光と参照光とに分割し、被検眼からの前記測定光の戻り光と前記参照光との干渉光を検出する光学系と、前記光学系による検出結果に基づいて画像を形成する画像形成部と、前記測定光の光路に配置可能とされ、前記測定光の焦点位置を被検眼の第１の部位から第２の部位に変更するためのレンズと、第２の光源からの光路を前記測定光の光路に合成する合成部材とを含み、前記合成部材により前記測定光の光路に導かれた前記第２の光源からの光を前記レンズを介して被検眼の眼底に結像させる光学ユニットとを有する眼科撮影装置である。
請求項２に記載の発明は、請求項１に記載の眼科撮影装置であって、前記第１の光源は赤外光を含む光を出力し、前記第２の光源は可視光を含む光を出力し、前記合成部材はダイクロイックミラーを含むことを特徴とする。
請求項３に記載の発明は、請求項１または請求項２に記載の眼科撮影装置であって、前記第２の光源は、前記光学ユニットに設けられていることを特徴とする。
請求項４に記載の発明は、請求項１または請求項２に記載の眼科撮影装置であって、前記第２の光源は、前記光学ユニット外に設けられていることを特徴とする。
請求項５に記載の発明は、請求項４に記載の眼科撮影装置であって、前記光学系は、対物レンズと、前記対物レンズの周囲に配置された１以上の光源とを含み、前記第２の光源は、前記１以上の光源のいずれかを含むことを特徴とする。
請求項６に記載の発明は、請求項４または請求項５に記載の眼科撮影装置であって、１以上の外部固視灯を有し、前記第２の光源は、前記１以上の外部固視灯のいずれかを含むことを特徴とする。
請求項７に記載の発明は、請求項１〜請求項６のいずれか一項に記載の眼科撮影装置であって、前記光学ユニットは、前記第２の光源の像を前記合成部材にリレーするリレー光学系を含むことを特徴とする。
請求項８に記載の発明は、請求項１〜請求項７のいずれか一項に記載の眼科撮影装置であって、前記第１の部位は眼底であり、前記第２の部位は前眼部であることを特徴とする。
請求項９に記載の発明は、請求項１〜請求項７のいずれか一項に記載の眼科撮影装置であって、前記第１の部位は前眼部であり、前記第２の部位は眼底であることを特徴とする。
請求項１０に記載の発明は、請求項１〜請求項９のいずれか一項に記載の眼科撮影装置であって、前記光学系は、被検眼に固視標を提示するための固視光学系を含み、前記光学ユニットが前記測定光の光路に配置されているか否かを検知する検知部と、前記光学ユニットが前記測定光の光路に配置されていることが前記検知部により検知されたときに、前記光学ユニットにより前記第２の光源からの光を被検眼の眼底に結像させるための制御を行う制御部とを有する。
請求項１１に記載の発明は、請求項１０に記載の眼科撮影装置であって、前記制御部は、前記光学ユニットが前記測定光の光路に配置されていないことが前記検知部により検出されたときに、前記固視光学系により固視標を提示するための制御を行うことを特徴とする。
請求項１２に記載の発明は、であって、第１の光源からの光を測定光と参照光とに分割し、被検眼からの前記測定光の戻り光と前記参照光との干渉光を検出する光学系と、前記光学系による検出結果に基づいて画像を形成する画像形成部とを有する眼科撮影装置に装着可能な光学ユニットであって、前記測定光の光路に配置可能とされ、前記測定光の焦点位置を被検眼の第１の部位から第２の部位に変更するためのレンズと、第２の光源からの光路を前記測定光の光路に合成する合成部材とを有し、前記合成部材により前記測定光の光路に導かれた前記第２の光源からの光を前記レンズを介して被検眼の眼底に結像させることを特徴とする光学ユニットである。
請求項１３に記載の発明は、請求項１２に記載の光学ユニットであって、前記第１の光源は赤外光を含む光を出力し、前記第２の光源は可視光を含む光を出力し、前記合成部材はダイクロイックミラーを含むことを特徴とする。
請求項１４に記載の発明は、請求項１２または請求項１３に記載の光学ユニットであって、前記第２の光源の像を前記合成部材にリレーするリレー光学系を有することを特徴とする。
【発明の効果】
【００１５】
この発明によれば、光学ユニットの使用／不使用にかかわらず固視を適正に行うことが可能である。
【図面の簡単な説明】
【００１６】
【図１】実施形態に係る眼科撮影装置の構成の一例を表す概略図である。
【図２】実施形態に係る眼科撮影装置の構成の一例を表す概略図である。
【図３】実施形態に係る眼科撮影装置の構成の一例を表す概略ブロック図である。
【図４】実施形態に係る光学ユニットの構成の一例を表す概略図である。
【図５】実施形態に係る眼科撮影装置の構成の一例を表す概略図である。
【図６】実施形態に係る眼科撮影装置の構成の一例を表す概略ブロック図である。
【発明を実施するための形態】
【００１７】
この発明に係る眼科撮影装置の実施形態の一例について、図面を参照しながら詳細に説明する。実施形態に係る眼科撮影装置は、ＯＣＴを用いて眼底の断層像や３次元画像を形成する。この明細書では、ＯＣＴによって取得される画像をＯＣＴ画像と総称することがある。また、ＯＣＴ画像を形成するための計測動作をＯＣＴ計測と呼ぶことがある。なお、この明細書に記載された文献の記載内容を、以下の実施形態の内容として適宜援用することが可能である。
【００１８】
以下の実施形態では、フーリエドメインタイプのＯＣＴを適用した構成について詳しく説明する。特に、実施形態に係る眼科撮影装置は、特許文献５に開示された装置と同様に、スペクトラルドメインＯＣＴの手法を用いて眼底のＯＣＴ画像および眼底像の双方を取得可能である。
【００１９】
この眼底撮影用の眼科撮影装置にアタッチメント（光学ユニット）を装着することにより、その用途が前眼部撮影用に変更される。なお、元々は前眼部撮影用の眼科撮影装置にアタッチメント（光学ユニット）を装着することにより、その用途が眼底撮影用に変更されるように構成することも可能である。また、撮影対象部位は眼底および前眼部に限定されるものではなく、たとえば硝子体や水晶体など、被検眼の任意の部位であってよい。さらに、撮影対象部位に応じたアタッチメント（光学ユニット）をそれぞれ用意しておき、これらを選択的に眼科撮影装置に適用することも可能である。アタッチメント（光学ユニット）の使用／不使用の選択および／または適用されるアタッチメントの選択を自動で行うように構成することも可能である。これら選択処理は、たとえば、過去に実施された撮影内容、傷病名などに基づいて行われる。
【００２０】
スペクトラルドメイン以外のタイプ、たとえばスウェプトソースＯＣＴの手法を用いる眼科撮影装置に対して、この発明に係る構成を適用することも可能である。また、以下の実施形態ではＯＣＴ装置と眼底カメラとを組み合わせた装置について説明するが、眼底カメラ以外の眼底撮影装置、たとえばＳＬＯ、スリットランプ、眼科手術用顕微鏡などに、この実施形態に係る構成を有するＯＣＴ装置を組み合わせることも可能である。また、この実施形態に係る構成を、単体のＯＣＴ装置に組み込むことも可能である。
【００２１】
〈第１の実施形態〉
［構成］
図１および図２に示すように、眼科撮影装置１は、眼底カメラユニット２と、ＯＣＴユニット１００と、演算制御ユニット２００と、アタッチメントとしての光学ユニット３００とを含んで構成される。眼底カメラユニット２は、従来の眼底カメラとほぼ同様の光学系を有する。ＯＣＴユニット１００には、眼底のＯＣＴ画像を取得するための光学系が設けられている。演算制御ユニット２００は、各種の演算処理や制御処理等を実行するコンピュータを具備している。光学ユニット３００は、被検眼Ｅに向かう光路に対して挿入／退避できるように構成されている。光学ユニット３００は、眼底のＯＣＴ計測を行うときには光路から退避され、前眼部のＯＣＴ計測を行うときには光路に配置される。
【００２２】
〔眼底カメラユニット〕
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、たとえば、近赤外光を用いて所定のフレームレートで形成されるモノクロの動画像である。撮影画像は、たとえば、可視光をフラッシュ発光して得られるカラー画像、または近赤外光若しくは可視光を照明光として用いたモノクロの静止画像であってもよい。眼底カメラユニット２は、これら以外の画像、たとえばフルオレセイン蛍光画像やインドシアニングリーン蛍光画像や自発蛍光画像などを取得可能に構成されていてもよい。
【００２３】
眼底カメラユニット２には、被検者の顔を支持するための顎受けや額当てが設けられている。さらに、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８。）に導く。また、撮影光学系３０は、ＯＣＴユニット１００からの測定光を眼底Ｅｆに導くとともに、眼底Ｅｆを経由した測定光（つまり眼底Ｅｆからの測定光の戻り光）をＯＣＴユニット１００に導く。
【００２４】
照明光学系１０の観察光源１１は、たとえばハロゲンランプにより構成される。観察光源１１から出力された光（観察照明光）は、曲面状の反射面を有する反射ミラー１２により反射され、集光レンズ１３を経由し、可視カットフィルタ１４を透過して近赤外光となる。さらに、観察照明光は、撮影光源１５の近傍にて一旦集束し、ミラー１６により反射され、リレーレンズ１７、１８、絞り１９およびリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。なお、観察光源としてＬＥＤ（Ｌｉｇｈｔ  Ｅｍｉｔｔｉｎｇ  Ｄｉｏｄｅ）を用いることも可能である。
【００２５】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。さらに、この眼底反射光は、ハーフミラー３９Ａを透過し、ダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。表示装置３には、ＣＣＤイメージセンサ３５により検出された眼底反射光に基づく画像（観察画像）が表示される。なお、撮影光学系のピントが前眼部に合わせられている場合、被検眼Ｅの前眼部の観察画像が表示される。
【００２６】
撮影光源１５は、たとえばキセノンランプにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置３と撮影画像を表示する表示装置３は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００２７】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ計測時などに使用される。
【００２８】
ＬＣＤ３９から出力された光は、その一部がハーフミラー３９Ａにて反射され、ミラー３２に反射され、合焦レンズ３１およびダイクロイックミラー５５を経由し、孔開きミラー２１の孔部を通過し、ダイクロイックミラー４６を透過し、対物レンズ２２により屈折されて眼底Ｅｆに投影される。
【００２９】
ＬＣＤ３９の画面上における固視標の表示位置を変更することにより、被検眼Ｅの固視位置を変更できる。被検眼Ｅの固視位置としては、たとえば従来の眼底カメラと同様に、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。また、固視標の表示位置を任意に変更することも可能である。
【００３０】
さらに、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、眼底Ｅｆに対してフォーカス（ピント）を合わせるための指標（スプリット指標）を生成する。
【００３１】
アライメント光学系５０のＬＥＤ５１から出力された光（アライメント光）は、絞り５２、５３およびリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００３２】
アライメント光の角膜反射光は、対物レンズ２２、ダイクロイックミラー４６および上記孔部を経由し、その一部がダイクロイックミラー５５を透過し、合焦レンズ３１を通過し、ミラー３２により反射され、ハーフミラー３９Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００３３】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。さらに、フォーカス光は、リレーレンズ２０を経由し、孔開きミラー２１に反射され、ダイクロイックミラー４６を透過し、対物レンズ２２により屈折されて眼底Ｅｆに投影される。
【００３４】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１およびフォーカス光学系６０を移動させてピント合わせを行う（オートフォーカス機能）。また、スプリット指標を視認しつつ手動でピント合わせを行ってもよい。
【００３５】
ダイクロイックミラー４６は、眼底撮影用の光路からＯＣＴ計測用の光路を分岐させている。ダイクロイックミラー４６は、ＯＣＴ計測に用いられる波長帯の光を反射し、眼底撮影用の光を透過させる。このＯＣＴ計測用の光路には、ＯＣＴユニット１００側から順に、コリメータレンズユニット４０と、光路長変更部４１と、ガルバノスキャナ４２と、合焦レンズ４３と、ミラー４４と、リレーレンズ４５とが設けられている。
【００３６】
光路長変更部４１は、図１に示す矢印の方向に移動可能とされ、ＯＣＴ計測用の光路の光路長を変更する。この光路長の変更は、被検眼Ｅの眼軸長に応じた光路長の補正や、干渉状態の調整などに利用される。光路長変更部４１は、たとえばコーナーキューブと、これを移動する機構とを含んで構成される。
【００３７】
ガルバノスキャナ４２は、ＯＣＴ計測用の光路を通過する光（測定光ＬＳ）の進行方向を変更する。それにより、眼底Ｅｆを測定光ＬＳで走査することができる。ガルバノスキャナ４２は、たとえば、測定光ＬＳをｘ方向に走査するガルバノミラーと、ｙ方向に走査するガルバノミラーと、これらを独立に駆動する機構とを含んで構成される。それにより、測定光ＬＳをｘｙ平面上の任意の方向に走査することができる。
【００３８】
〔ＯＣＴユニット〕
図２を参照しつつＯＣＴユニット１００の構成の一例を説明する。ＯＣＴユニット１００には、眼底ＥｆのＯＣＴ画像を取得するための光学系が設けられている。この光学系は、従来のスペクトラルドメインタイプのＯＣＴ装置と同様の構成を有する。すなわち、この光学系は、低コヒーレンス光を参照光と測定光に分割し、眼底Ｅｆを経由した測定光と参照光路を経由した参照光とを干渉させて干渉光を生成し、この干渉光のスペクトル成分を検出するように構成されている。この検出結果（検出信号）は演算制御ユニット２００に送られる。
【００３９】
なお、スウェプトソースタイプのＯＣＴ装置の場合には、低コヒーレンス光源を出力する光源の代わりに波長掃引光源が設けられるとともに、干渉光をスペクトル分解する光学部材が設けられない。一般に、ＯＣＴユニット１００の構成については、光コヒーレンストモグラフィのタイプに応じた公知の技術を任意に適用することができる。
【００４０】
光源ユニット１０１は広帯域の低コヒーレンス光Ｌ０を出力する。低コヒーレンス光Ｌ０は、たとえば、近赤外領域の波長帯（約８００ｎｍ〜９００ｎｍ程度）を含み、数十マイクロメートル程度の時間的コヒーレンス長を有する。なお、人眼では視認できない波長帯、たとえば１０４０〜１０６０ｎｍ程度の中心波長を有する近赤外光を低コヒーレンス光Ｌ０として用いてもよい。
【００４１】
光源ユニット１０１は、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスを含んで構成される。
【００４２】
光源ユニット１０１から出力された低コヒーレンス光Ｌ０は、光ファイバ１０２によりファイバカプラ１０３に導かれて測定光ＬＳと参照光ＬＲに分割される。
【００４３】
参照光ＬＲは、光ファイバ１０４により導かれて光減衰器（アッテネータ）１０５に到達する。光減衰器１０５は、公知の技術を用いて、演算制御ユニット２００の制御の下、光ファイバ１０４に導かれる参照光ＬＲの光量を自動で調整する。光減衰器１０５により光量が調整された参照光ＬＲは、光ファイバ１０４により導かれて偏波調整器（偏波コントローラ）１０６に到達する。偏波調整器１０６は、たとえば、ループ状にされた光ファイバ１０４に対して外部から応力を与えることで、光ファイバ１０４内を導かれる参照光ＬＲの偏光状態を調整する装置である。なお、偏波調整器１０６の構成はこれに限定されるものではなく、任意の公知技術を用いることが可能である。偏波調整器１０６により偏光状態が調整された参照光ＬＲは、ファイバカプラ１０９に到達する。
【００４４】
ファイバカプラ１０３により生成された測定光ＬＳは、光ファイバ１０７により導かれ、コリメータレンズユニット４０により平行光束とされる。さらに、測定光ＬＳは、光路長変更部４１、ガルバノスキャナ４２、合焦レンズ４３、ミラー４４、およびリレーレンズ４５を経由してダイクロイックミラー４６に到達する。そして、測定光ＬＳは、ダイクロイックミラー４６により反射され、対物レンズ２２により屈折されて眼底Ｅｆに照射される。測定光ＬＳは、眼底Ｅｆの様々な深さ位置において散乱（反射を含む）される。眼底Ｅｆによる測定光ＬＳの後方散乱光（戻り光）は、往路と同じ経路を逆向きに進行してファイバカプラ１０３に導かれ、光ファイバ１０８を経由してファイバカプラ１０９に到達する。
【００４５】
ファイバカプラ１０９は、測定光ＬＳの後方散乱光と、光ファイバ１０４を経由した参照光ＬＲとを干渉させる。これにより生成された干渉光ＬＣは、光ファイバ１１０により導かれて出射端１１１から出射される。さらに、干渉光ＬＣは、コリメータレンズ１１２により平行光束とされ、回折格子１１３により分光（スペクトル分解）され、集光レンズ１１４により集光されてＣＣＤイメージセンサ１１５の受光面に投影される。なお、図２に示す回折格子１１３は透過型であるが、たとえば反射型の回折格子など、他の形態の分光素子を用いることも可能である。
【００４６】
ＣＣＤイメージセンサ１１５は、たとえばラインセンサであり、分光された干渉光ＬＣの各スペクトル成分を検出して電荷に変換する。ＣＣＤイメージセンサ１１５は、この電荷を蓄積して検出信号を生成し、これを演算制御ユニット２００に送る。
【００４７】
この実施形態ではマイケルソン型の干渉計を採用しているが、たとえばマッハツェンダー型など任意のタイプの干渉計を適宜に採用することが可能である。また、ＣＣＤイメージセンサに代えて、他の形態のイメージセンサ、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどを用いることが可能である。
【００４８】
〔演算制御ユニット〕
演算制御ユニット２００の構成について説明する。演算制御ユニット２００は、ＣＣＤイメージセンサ１１５から入力される検出信号を解析して眼底ＥｆのＯＣＴ画像を形成する。そのための演算処理は、従来のスペクトラルドメインタイプのＯＣＴ装置と同様である。
【００４９】
また、演算制御ユニット２００は、眼底カメラユニット２、表示装置３およびＯＣＴユニット１００の各部を制御する。たとえば演算制御ユニット２００は、眼底ＥｆのＯＣＴ画像を表示装置３に表示させる。
【００５０】
また、眼底カメラユニット２の制御として、演算制御ユニット２００は、観察光源１１、撮影光源１５およびＬＥＤ５１、６１の動作制御、ＬＣＤ３９の動作制御、合焦レンズ３１、４３の移動制御、反射棒６７の移動制御、フォーカス光学系６０の移動制御、光路長変更部４１の移動制御、ガルバノスキャナ４２の動作制御などを行う。
【００５１】
また、ＯＣＴユニット１００の制御として、演算制御ユニット２００は、光源ユニット１０１の動作制御、光減衰器１０５の動作制御、偏波調整器１０６の動作制御、ＣＣＤイメージセンサ１１５の動作制御などを行う。
【００５２】
演算制御ユニット２００は、たとえば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科撮影装置１を制御するためのコンピュータプログラムが記憶されている。演算制御ユニット２００は、各種の回路基板、たとえばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００５３】
眼底カメラユニット２、表示装置３、ＯＣＴユニット１００および演算制御ユニット２００は、一体的に（つまり単一の筺体内に）構成されていてもよいし、２つ以上の筐体に別れて構成されていてもよい。
【００５４】
〔制御系〕
眼科撮影装置１の制御系の構成について図３を参照しつつ説明する。
【００５５】
（制御部）
眼科撮影装置１の制御系は、制御部２１０を中心に構成される。制御部２１０は、たとえば、前述のマイクロプロセッサ、ＲＡＭ、ＲＯＭ、ハードディスクドライブ、通信インターフェイス等を含んで構成される。制御部２１０には、主制御部２１１と記憶部２１２が設けられている。
【００５６】
（主制御部）
主制御部２１１は前述の各種制御を行う。特に、主制御部２１１は、眼底カメラユニット２の合焦駆動部３１Ａ、光路長変更部４１およびガルバノスキャナ４２、さらにＯＣＴユニット１００の光源ユニット１０１、光減衰器１０５および偏波調整器１０６を制御する。
【００５７】
合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることもできる。この制御は、アライメントやトラッキングにおいて用いられる。トラッキングとは、被検眼Ｅの眼球運動に合わせて装置光学系を移動させるものである。トラッキングを行う場合には、事前にアライメントとピント合わせが実行される。トラッキングは、装置光学系の位置を眼球運動に追従させることにより、アライメントとピントが合った好適な位置関係を維持する機能である。
【００５８】
また、主制御部２１１は、記憶部２１２にデータを書き込む処理や、記憶部２１２からデータを読み出す処理を行う。
【００５９】
（記憶部）
記憶部２１２は、各種のデータを記憶する。記憶部２１２に記憶されるデータとしては、たとえば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科撮影装置１を動作させるための各種プログラムやデータが記憶されている。
【００６０】
（画像形成部）
画像形成部２２０は、ＣＣＤイメージセンサ１１５からの検出信号に基づいて、眼底Ｅｆの断層像の画像データを形成する。この処理には、従来のスペクトラルドメインタイプの光コヒーレンストモグラフィと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。他のタイプのＯＣＴ装置の場合、画像形成部２２０は、そのタイプに応じた公知の処理を実行する。
【００６１】
画像形成部２２０は、たとえば、前述の回路基板を含んで構成される。なお、この明細書では、「画像データ」と、それに基づく「画像」とを同一視することがある。
【００６２】
（画像処理部）
画像処理部２３０は、画像形成部２２０により形成された画像に対して各種の画像処理や解析処理を施す。たとえば、画像処理部２３０は、画像の輝度補正や分散補正等の各種補正処理を実行する。また、画像処理部２３０は、眼底カメラユニット２により得られた画像（眼底像、前眼部像等）に対して各種の画像処理や解析処理を施す。
【００６３】
画像処理部２３０は、断層像の間の画素を補間する補間処理などの公知の画像処理を実行して、眼底Ｅｆの３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、画像処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０Ａ等の表示デバイスには、この擬似的な３次元画像が表示される。
【００６４】
また、３次元画像の画像データとして、複数の断層像のスタックデータを形成することも可能である。スタックデータは、複数の走査線に沿って得られた複数の断層像を、走査線の位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００６５】
以上のように機能する画像処理部２３０は、たとえば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムが予め格納されている。
【００６６】
（ユーザインターフェイス）
ユーザインターフェイス２４０には、表示部２４０Ａと操作部２４０Ｂとが含まれる。表示部２４０Ａは、前述した演算制御ユニット２００の表示デバイスや表示装置３を含んで構成される。操作部２４０Ｂは、前述した演算制御ユニット２００の操作デバイスを含んで構成される。操作部２４０Ｂには、眼科撮影装置１の筐体や外部に設けられた各種のボタンやキーが含まれていてもよい。たとえば眼底カメラユニット２が従来の眼底カメラと同様の筺体を有する場合、操作部２４０Ｂは、この筺体に設けられたジョイスティックや操作パネル等を含んでいてもよい。また、表示部２４０Ａは、眼底カメラユニット２の筺体に設けられたタッチパネルなどの各種表示デバイスを含んでいてもよい。
【００６７】
なお、表示部２４０Ａと操作部２４０Ｂは、それぞれ個別のデバイスとして構成される必要はない。たとえばタッチパネルのように、表示機能と操作機能とが一体化されたデバイスを用いることも可能である。その場合、操作部２４０Ｂは、このタッチパネルとコンピュータプログラムとを含んで構成される。操作部２４０Ｂに対する操作内容は、電気信号として制御部２１０に入力される。また、表示部２４０Ａに表示されたグラフィカルユーザインターフェイス（ＧＵＩ）と、操作部２４０Ｂとを用いて、操作や情報入力を行うようにしてもよい。
【００６８】
〔光学ユニット〕
光学ユニット３００の構成例を図４に示す。光学ユニット３００は、被検眼Ｅの角膜ＥｃのＯＣＴ計測を行うときに、対物レンズ２２の前側、つまり対物レンズと被検眼Ｅとの間に配置される。光学ユニット３００は、ＯＣＴ計測のための測定光ＬＳを角膜Ｅｃに集束させるためのレンズ（対物レンズ３０５）に加え、固視標を眼底Ｅｆに投影するための光学系を含んでいる。
【００６９】
なお、他の実施形態として、角膜（前眼部）用の眼科撮影装置に光学ユニットが装着される場合、この光学ユニットは、角膜のＯＣＴ計測ときには光路から退避され、眼底のＯＣＴ計測のときに光路に配置される。この場合、光学ユニットは、測定光を眼底に集束させるためのレンズと、固視標を眼底に投影するための光学系とを含む。
【００７０】
本例では、固視標を生成するための光源（固視光源３１０）が光学ユニット３００の外部に設けられている。なお、固視光源は光学ユニットの内部に設けられていてもよい。いずれの場合においても、固視光源は固視専用であってよいし、他の機能のためにも使用可能であってよい。固視光源は、たとえば、少なくとも可視光を出力する。
【００７１】
光学ユニットの外部に固視光源が設けられる場合、固視光源は、たとえば、角膜のＯＣＴ計測を行うときには内部固視標を投影するために用いられ、眼底のＯＣＴ計測を行うときには外部固視灯として用いられる。なお、固視光源は、外部固視灯としての機能以外にも、角膜形状測定用のパターンを投影するための機能など、任意の機能を有していてよい。
【００７２】
眼底のＯＣＴ計測において周辺固視を行うための外部固視灯が設けられる場合の例を図５に示す。周辺固視とは、眼底の周辺領域のＯＣＴ計測を行うための固視である。図５は、眼底カメラユニット２（の筐体）の前面（被検眼Ｅ側の面）の概要を示す。眼底カメラユニット２の前面には対物レンズ２２が設けられている。対物レンズ２２は鏡筒部２２Ａに収納されている。鏡筒部２２Ａの周囲には、光源保持部２３が設けられている。光源保持部２３は、周辺固視用の複数の外部固視灯２４ｉ（ｉ＝１〜ｎ）が設けられている。各外部固視灯２４ｉは、たとえばＬＥＤである。本例において、複数の外部固視灯２４ｉは、対物レンズ２２の光軸を中心とする円周上に等間隔で配置されている。外部固視灯２４ｉの制御（たとえば点灯、消灯、点滅、出力光量の変更、出力波長の変更など）は、制御部２１０によって実行される。
【００７３】
光学ユニット３００は、眼底カメラユニット２の前面に配置される。複数の外部固視灯２４ｉのうちのいずれか（たとえば最も上方に配置されている外部固視灯）から出力された光が、図４に示す固視光源３１０として用いられる。
【００７４】
光学ユニットの内部に固視光源が設けられる場合であって、眼科撮影装置に接続された状態で光学ユニットを光路から退避できる構成が適用される場合、光ファイバ等の導光手段を用いて固視光源からの光を光学ユニットの外部に導くことにより、この光を他の用途（たとえば外部固視灯）に使用することができる。
【００７５】
図４に示す例を説明する。本例の光学ユニット３００は、リレーレンズ３０１と、反射ミラー３０２と、リレーレンズ３０３と、ビームスプリッタ３０４と、対物レンズ３０５とを有する。
【００７６】
固視光源３１０から出力されて光学ユニット３００に入射した光（固視光ＬＦ）は、リレーレンズ３０１に導かれる。リレーレンズ３０１および３０３は、固視光源３１０の像をビームスプリッタ３０４にリレーするための光学系として機能する。具体的には、リレーレンズ３０１により平行光束とされた固視光ＬＦは、反射ミラー３０２により反射され、リレーレンズ３０３によりビームスプリッタ３０４の反射面に集束される。
【００７７】
ビームスプリッタ３０４は、たとえば、眼底Ｅｆに対して共役な位置に配置されている。ビームスプリッタ３０４は、固視光ＬＦの光路と測定光ＬＳの光路とを合成する。ビームスプリッタ３０４は、たとえば、可視光（固視光ＬＦ）を反射し、赤外光（測定光ＬＳ）を透過させるダイクロイックミラーである。或いは、ビームスプリッタ３０４はハーフミラーであってよい。
【００７８】
ダイクロイックミラー３０４を通過した固視光ＬＦは、対物レンズ３０５および被検眼Ｅの眼球光学系によって眼底に結像される。それにより、固視光源３１０に基づく固視標が眼底Ｅｆに投影される。
【００７９】
一方、眼底カメラユニット２の対物レンズ２２を通過した測定光ＬＳは、光学ユニット３００のビームスプリッタ３０４を透過し、対物レンズ３０５により角膜Ｅｃにおいて集束される。
【００８０】
［効果］
眼科撮影装置１の効果について説明する。
【００８１】
眼科撮影装置１は、光学系と、画像形成部と、光学ユニットとを含む。光学系は、第１の光源（たとえば光源ユニット１０１）からの光を測定光と参照光とに分割し、被検眼からの測定光の戻り光と参照光との干渉光を検出する。画像形成部（たとえば画像形成部２２０）は、光学系による干渉光の検出結果（たとえば、ＣＣＤイメージセンサ１１５により生成される検出信号）に基づいて画像を形成する。
【００８２】
光学ユニット（たとえば光学ユニット３００）は、測定光の光路に配置可能である。光学ユニットは、測定光の焦点位置を被検眼の第１の部位から第２の部位に変更するためのレンズ（たとえば対物レンズ３０５）を含む。第１の部位と第２の部位との組み合わせは任意である。たとえば、第１の部位は眼底であり、かつ、第２の部位は前眼部（たとえば角膜）である。或いは、第１の部位は前眼部（たとえば角膜）であり、かつ、第２の部位は眼底である。さらに、光学ユニットは、第２の光源（固視光源）からの光路を測定光の光路に合成する合成部材を含む。合成部材は、任意のビームスプリッタであってよい（たとえばダイクロイックミラー３０４、ハーフミラーなど）。光学ユニットは、合成部材により測定光の光路に導かれた第２の光源からの光を、レンズを介して被検眼の眼底に結像させる。
【００８３】
このような眼科撮影装置によれば、光学ユニットが適用されている場合に、第２の光源からの光を光学ユニットを介して眼底に結像させることができる。したがって、光学ユニットとは別系統の光学系からの固視用の光束の結像位置が、光学ユニットの使用により網膜からずれたとしても、被検者に固視標を明確に視認させることができる。したがって、光学ユニットの使用／不使用にかかわらず固視を適正に行うことが可能である。なお、第２の光源は、たとえば、ＬＥＤ、フラットパネルディスプレイ（たとえばＬＣＤなど）により構成されてよい。
【００８４】
第１の光源が赤外光を含む光を出力し、かつ、第２の光源が可視光を含む光を出力するように構成することができる。この場合、合成部材はダイクロイックミラー（たとえばダイクロイックミラー３０５）を含んでよい。
【００８５】
第２の光源は光学ユニットに設けられていてよい。すなわち、光学ユニットは、その内部に設けられた第２の光源からの光に基づいて眼底に固視標を投影するように構成されていてよい。この構成によれば、光学ユニットに第２の光源を設ける必要はあるが、たとえば眼科撮影装置にあらかじめ設けられた光源からの光を光学ユニットに導くための構成を設ける必要がない。
【００８６】
第２の光源は光学ユニット外に設けられていてよい。すなわち、光学ユニットは、その外部に設けられた第２の光源からの光に基づいて、眼底に固視標を投影するように構成されていてよい。この構成によれば、たとえば眼科撮影装置にあらかじめ設けられた光源（固視以外の機能を有していてもよい）を、光学ユニット使用時に固視標を眼底に投影するための第２の光源として用いることができる。よって、光学ユニットの構成の簡易化を図ることができる。
【００８７】
第２の光源が光学ユニット外に設けられている場合、次の構成を適用することが可能である。まず、光学系は、対物レンズ（たとえば対物レンズ２２）と、この対物レンズの周囲に配置された１以上の光源（たとえば外部固視灯２４ｉ）とを含んでいる。さらに、第２の光源は、当該１以上の光源のいずれかを含む。この構成においては、光学ユニットの外部に設けられ、かつ、ＯＣＴ計測用の光学系の対物レンズの周囲に設けられた光源のうちのいずれかが、光学ユニット使用時に固視標を眼底に投影するための第２の光源として用いられる。
【００８８】
眼科撮影装置が１以上の外部固視灯（たとえば外部固視灯２４ｉ）を有する場合、第２の光源は当該１以上の外部固視灯のいずれかを含んでいてよい。
【００８９】
光学ユニットは、第２の光源の像を合成部材にリレーするリレー光学系を含んでいてよい。この構成によれば、光学ユニットの構成の簡易化を図ることができる。なお、この構成が適用される場合において、第２の光源は実質的に点光源であってよい。
【００９０】
〈第２の実施形態〉
この実施形態では、アタッチメント（光学ユニット）を使用する場合と使用しない場合とで固視を行うための手段を切り替える制御について説明する。以下、第１の実施形態で用いられた符号を準用する。
【００９１】
［構成］
この実施形態の眼科撮影装置の光学系の構成は第１の実施形態と同様であってよい（図１、図２および図５を参照）。また、光学ユニット（アタッチメント）についても第１の実施形態と同様であってよい（図４を参照）。
【００９２】
この実施形態の眼科撮影装置の制御系は、たとえば図６に示す構成を有する。第１の実施形態の制御系（図３）との相違は、検知部２５０が設けられていることと、外部固視灯２４ｉが明示されていることである。
【００９３】
外部固視灯２４ｉは、光学ユニット３００の外部に設けられた固視光源（第２の光源）に相当する。なお、第１の実施形態において説明したように、光学ユニット３００の外部に設けられた固視光源は外部固視灯には限定されない。一方、光学ユニット３００の内部に固視光源が設けられている場合、制御部２１０が、この固視光源の制御（点灯、消灯、出力光量の変更、出力波長の変更など）を行う。
【００９４】
検知部２５０は、光学ユニット３００が測定光ＬＳの光路に配置されているか否かを検知する。この検知は、光学ユニット３００が光路に配置されていることの検知、および、光学ユニット３００が光路に配置されていないことの検知の一方または双方を意味する。検知部２５０は、たとえば、マイクロスイッチ、位置センサなどを含む。
【００９５】
マイクロスイッチが用いられる場合、このマイクロスイッチは、たとえば、測定光ＬＳの光路に配置された状態の光学ユニット３００に接触する位置に配置されている。このマイクロスイッチは、光学ユニット３００が測定光ＬＳの光路に配置されている状態で「オン」となり、光路から退避されている状態では「オフ」となる。このマイクロスイッチは、オン状態となっているときに制御部２１０に信号を入力する。この信号の有無により、制御部２１０は、光学ユニット３００が光路に配置されているか否かを認識することができる。
【００９６】
位置センサが用いられる場合、この位置センサは、たとえば、光学ユニット３００の現在位置を検出し、その検出結果を示す信号を制御部２１０に入力する。制御部２１０は、この信号の内容に基づいて、光学ユニット３００が光路に配置されているか否かを認識することができる。
【００９７】
また、この実施形態の眼科撮影装置は、第１の実施形態と同様に、被検眼Ｅに固視標を提示するための固視光学系が内蔵されている。この固視光学系はＬＣＤ３９を含む。ＬＣＤ３９から出力された光は、ハーフミラー３９Ａに反射され、ミラー３２に反射され、合焦レンズ３１およびダイクロイックミラー５５を経由し、孔開きミラー２１の孔部を通過し、ダイクロイックミラー４６を透過し、対物レンズ２２により屈折されて眼底Ｅｆに結像される。光学ユニット３００が対物レンズ２２の前面に配置されている場合、ＬＣＤ３９と角膜Ｅｃとが共役となるため、被検者は固視標を明確に視認することができない。
【００９８】
制御部２１０が実行する動作について説明する。制御部２１０は、光学ユニット３００が測定光ＬＳの光路に配置されていることを認識したことに対応し、外部固視灯２４ｉからの光を光学ユニット３００によって眼底Ｅｆに結像させるための制御を行う。この制御は、外部固視灯２４ｉを点灯させることを少なくとも含む。なお、光学ユニット３００が測定光ＬＳの光路に配置されていることが認識されたときにＬＣＤ３９から光が出力されている場合、制御部２１０は、ＬＣＤ３９を消灯させる。
【００９９】
一方、制御部２１０は、光学ユニット３００が測定光ＬＳの光路に配置されていないことを認識したことに対応し、眼科撮影装置に内蔵された固視光学系により固視標を提示するための制御を行う。この制御は、ＬＣＤ３９に固視標を表示させることを少なくとも含む。なお、光学ユニット３００が測定光ＬＳの光路に配置されていないことが認識されたときに外部固視灯２４ｉから光が出力されている場合、制御部２１０は、外部固視灯２４ｉを消灯させる。
【０１００】
［効果］
この実施形態の眼科撮影装置の効果について説明する。
【０１０１】
この実施形態の眼科撮影装置は、第１の実施形態と同様の効果を有する。
【０１０２】
また、この実施形態の眼科撮影装置によれば、光学ユニット（たとえば光学ユニット３００）が使用されるときに、第２の光源（たとえば外部固視灯２４ｉ）からの光を光学ユニットによって眼底に結像させるための制御を行うことができる。したがって、光学ユニットの使用に際し（たとえば眼底のＯＣＴ計測から前眼部のＯＣＴ計測に移行するときに）、固視を行うための手段の切り替えを手作業で行う必要がない。
【０１０３】
さらに、この実施形態の眼科撮影装置によれば、光学ユニットが使用されないときに、装置に内蔵された固視光学系により固視標を提示するための制御を行うことができる。したがって、光学ユニットの不使用に際し（たとえば前眼部のＯＣＴ計測から眼底のＯＣＴ計測に移行するときに）、固視を行うための手段の切り替えを手作業で行う必要がない。
【０１０４】
このように、この実施形態の眼科撮影装置によれば、ＯＣＴ計測の対象部位の設定時または切り替え時における操作性を向上させることが可能である。
【０１０５】
なお、検知部は、光学ユニットの位置や動作を検知する構成には限定されない。たとえば、検知部は、外部から入力された情報に基づいて、光学ユニットの使用／不使用を検知する構成であってよい。具体的には、検知部は、ユーザが入力した検査内容（たとえば明示的または暗示的に計測対象部位を示す）に基づいて、光学ユニットが測定光の光路に配置される前に、または光路から退避される前に、光学ユニットの使用／不使用を認識することが可能である。或いは、たとえば当該被検者の電子カルテ情報（過去の検査内容など）を参照することによって光学ユニットの使用／不使用を認識するよう構成されていてもよい。
【０１０６】
〈光学ユニット〉
上記の実施形態において説明された光学ユニットは、ＯＣＴ機能を有する眼科撮影装置に装着可能である。この眼科撮影装置は、光学系と、画像形成部とを有する。光学系は、第１の光源からの光を測定光と参照光とに分割し、被検眼からの測定光の戻り光と参照光との干渉光を検出する。画像形成部は、光学系による検出結果に基づいて画像を形成する。
【０１０７】
この光学ユニットは、測定光の光路に配置可能とされる。また、この光学ユニットは、測定光の焦点位置を被検眼の第１の部位から第２の部位に変更するためのレンズと、第２の光源からの光路を測定光の光路に合成する合成部材とを有する。さらに、この光学ユニットは、合成部材により測定光の光路に導かれた第２の光源からの光をレンズを介して被検眼の眼底に結像させるよう構成されている。第２の光源は、光学ユニットの内部または外部に設けられる。
【０１０８】
第１の光源が赤外光を含む光を出力し、かつ、第２の光源が可視光を含む光を出力するよう構成されている場合において、合成部材はダイクロイックミラーを含んでいてよい。また、光学ユニットは、第２の光源の像を合成部材にリレーするリレー光学系を有していよい。
【０１０９】
このような光学ユニットによれば、その使用／不使用にかかわらず固視を適正に行うことが可能である。
【０１１０】
［変形例］
以上に説明した構成は、この発明を好適に実施するための一例に過ぎない。よって、この発明の要旨の範囲内における任意の変形（省略、置換、付加等）を適宜に施すことが可能である。
【０１１１】
上記の実施形態において、光学ユニット３００による固視標の投影位置を変更可能に構成することができる。たとえば、光学ユニット３００の反射ミラー３０２を偏向ミラーとすることにより固視標の投影位置を変更する構成を適用することが可能である。この偏向ミラーは、たとえば２軸ガルバノミラー等の２次元偏向ミラーであり、制御部２１０による制御を受けて動作する。固視標の投影位置を変更するための他の構成例として、ビームスプリッタ３０４を移動させる機構を設けることが可能である。この機構は、ビームスプリッタ３０４の機能面（光路の合成／分岐機能を有する面、フィルタ機能が付与されている面）の法線方向に沿ってビームスプリッタ３０４を移動させる。この機構は制御部２１０による制御を受けて動作する。本例によれば、角膜のＯＣＴ計測を行うときに被検眼Ｅの固視位置を変更できるので、角膜の任意の部位（たとえば周辺部位）のＯＣＴ計測の容易化を図ることが可能である。
【０１１２】
上記の実施形態において、光学ユニット３００により眼底Ｅｆに投影される固視標のフォーカス調整を実行可能に構成することができる。たとえば、光学ユニット３００のリレーレンズ３０３（および／または反射ミラー３０２）を光軸方向に移動させる機構を設けることにより固視標のフォーカス調整を行う構成を適用することが可能である。この機構は制御部２１０による制御を受けて動作する。この制御の一例として、眼科撮影装置１は、リアルタイムで取得される被検眼Ｅの画像（観察画像等）を解析することにより固視標の投影状態（フォーカス状態）を求め、この投影状態に応じて上記機構を制御することができる。また、眼科撮影装置１は、固視標が投影されている状態の眼底Ｅｆのリアルタイム画像を表示し、この画像に基づきユーザが行った操作の内容に応じて上記機構を制御するように構成することも可能である。本例によれば、フォーカスが合った好適な固視標を被検眼Ｅに提示することが可能である。
【０１１３】
上記の実施形態で説明した光学ユニット３００の構成は単なる例示に過ぎない。たとえば、光学素子の配置に関し、ビームスプリッタ３０４は瞳共役な位置に配置されている必要はない。
【０１１４】
上記の実施形態においては、光路長変更部４１の位置を変更することにより、測定光ＬＳの光路と参照光ＬＲの光路との光路長差を変更しているが、この光路長差を変更する手法はこれに限定されるものではない。たとえば、参照光の光路に反射ミラー（参照ミラー）を配置し、この参照ミラーを参照光の進行方向に移動させて参照光の光路長を変更することによって、当該光路長差を変更することが可能である。また、被検眼Ｅに対して眼底カメラユニット２やＯＣＴユニット１００を移動させて測定光ＬＳの光路長を変更することにより当該光路長差を変更するようにしてもよい。また、特に被測定物体が生体部位でない場合などには、被測定物体を深度方向（ｚ方向）に移動させることにより光路長差を変更することも可能である。
【０１１５】
上記の実施形態を実現するためのコンピュータプログラムを、コンピュータによって読み取り可能な任意の記録媒体に記憶させることができる。この記録媒体としては、たとえば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０１１６】
また、インターネットやＬＡＮ等のネットワークを通じてこのプログラムを送受信することも可能である。
【符号の説明】
【０１１７】
１  眼科撮影装置
２  眼底カメラユニット
２２  対物レンズ
２４ｉ  外部固視灯
３９  ＬＣＤ
１００  ＯＣＴユニット
１０１  光源ユニット
２００  演算制御ユニット
２１０  制御部
２１１  主制御部
２１２  記憶部
２２０  画像形成部
２３０  画像処理部
２４０Ａ  表示部
２４０Ｂ  操作部
３００  光学ユニット
３０１  リレーレンズ
３０２  反射ミラー
３０３  リレーレンズ
３０４  ビームスプリッタ
３０５  対物レンズ
３１０  固視光源
Ｅ  被検眼
Ｅｃ  角膜
Ｅｆ  眼底
ＬＳ  測定光
ＬＲ  参照光
ＬＣ  干渉光
ＬＦ  固視光
【図１】
2015160103.tif 000003
【図２】
2015160103.tif 000004
【図３】
2015160103.tif 000005
【図４】
2015160103.tif 000006
【図５】
2015160103.tif 000007
【図６】
2015160103.tif 000008